(57)【要約】【課題】プレゼンテーションの進行に際して必要な情報を確実に把握できるプレゼンテーションシステムおよびプログラム並びにプレゼンテーション方法の提供。【解決手段】複数の映像を切り換えて表示するプレゼンテーションシステムであって、各映像を構成する映像データおよび前記各映像と対応する音声メモデータを当該各映像ごとに関連付けて記憶するデータ記憶部と、前記映像を表示する映像表示部と、当該映像表示部で表示される映像を切り換える映像切換部と、前記音声メモデータを再生する音声再生部と、前記映像表示部で表示される映像と関連する音声メモデータを制御する音声メモデータ制御部と、を備える。これによって、発表者の視線をメモやスクリーンばかりに集中させることなくプレゼンテーションの進行に際して必要な情報を確実に把握できる。【選択図】        図１
2006119875.tif 000002
【特許請求の範囲】
【請求項１】
複数の映像を切り換えて表示するプレゼンテーションシステムであって、
前記各映像を構成する映像データおよび前記各映像と対応する音声メモデータを当該各映像ごとに関連付けて記憶するデータ記憶部と、
前記映像を表示する映像表示部と、
当該映像表示部で表示される映像を切り換える映像切換部と、
前記音声メモデータを再生する音声再生部と、
前記映像表示部で表示される映像と関連する音声メモデータを制御する音声メモデータ制御部と、を備えたことを特徴とするプレゼンテーションシステム。
【請求項２】
請求項１に記載のプレゼンテーションシステムにおいて、
さらに、前記映像切換部からの指示に従って前記データ記憶部に記憶された映像データを前記映像表示部に送信する映像データ送信部と、
前記音声メモデータ制御部からの指示に従って前記データ記憶部に記憶された音声データを前記音声再生部に送る音声メモデータ送信部と、を備えたことを特徴とするプレゼンテーションシステム。    
【請求項３】
請求項２に記載のプレゼンテーションシステムにおいて、
前記音声メモデータ制御部は、前記映像データ送信部によって送信される映像データと関連する音声メモデータを当該映像データの送信と共に前記音声再生部に送るように前記音声メモデータ送信部を制御するようになっていることを特徴とするプレゼンテーションシステム。
【請求項４】
請求項２に記載のプレゼンテーションシステムにおいて、
前記音声メモデータ制御部は、前記映像データ送信部によって送信される映像データと関連する音声メモデータを当該映像データの送信とは独立して前記音声再生部に送るように前記音声メモデータ送信部を制御するようになっていることを特徴とするプレゼンテーションシステム。
【請求項５】
請求項４に記載のプレゼンテーションシステムにおいて、
さらに、発表者の発声状況を監視する発声状況監視部と、
当該発声状況監視部で監視された前記発表者の発声状況を解析して未発声時間を計測する未発声時間計測部とを備え、
前記音声メモデータ制御部は、当該未発声時間計測部で計測された前記発表者の未発声時間が一定時間を超えたときに、前記映像表示部に表示される映像と関連付けられる音声メモデータを前記データ記憶部から前記音声再生部に送るように前記音声メモデータ送信部を制御するようになっていることを特徴とするプレゼンテーションシステム。
【請求項６】
請求項４に記載のプレゼンテーションシステムにおいて、
さらに、前記映像表示部に表示された映像の表示時間を計測する表示時間計測部と、
当該表示時間計測部で計測された映像の実際の表示時間と各映像ごとに予め設定された予定表示時間とを比較する表示時間比較部と、を備え、
前記音声メモデータ制御部は、前記表示時間比較部での比較結果に応じて、前記データ記憶部に記憶された、進行状況に関する音声メモデータを前記音声再生部に送るように制御するようになっていることを特徴とするプレゼンテーションシステム。
【請求項７】
請求項１〜６のいずれか１項に記載のプレゼンテーションシステムにおいて、
さらに、前記音声メモデータに変換すべくテキストデータを入力するテキストデータ入力部と、
当該テキストデータ入力部で入力されたテキストデータを前記音声メモデータに変換する音声メモデータ変換部とを備え、
前記音声メモデータ制御部は、当該音声メモデータ変換部で変換された音声メモデータを所定の映像データに関連付けて前記データ記憶部に記憶するようになっていることを特徴とするプレゼンテーションシステム。
【請求項８】
複数の映像を切り換えて表示するプレゼンテーションプログラムであって、
コンピュータを、
前記各映像を構成する映像データおよび前記各映像と対応する音声メモデータを当該各映像ごとに関連付けてデータ記憶部に記憶するデータ記憶ステップと、
前記映像を表示する映像表示ステップと、
当該映像表示ステップで表示する映像を切り換える映像切換ステップと、
前記音声メモデータを再生する音声再生ステップと、
前記映像表示ステップで表示される映像と関連する音声メモデータを制御する音声メモデータ制御ステップと、して機能させることを特徴とするプレゼンテーションプログラム。
【請求項９】
請求項８に記載のプレゼンテーションプログラムにおいて、
さらに、発表者の発声状況を監視する発声状況監視ステップと、
当該発声状況監視ステップで監視された前記発表者の発声状況を解析して未発声時間を計測する未発声時間計測ステップと、して前記コンピュータを機能させると共に、
前記音声メモデータ制御ステップを、当該未発声時間計測ステップで計測された前記発表者の未発声時間が一定時間を超えたときに、前記映像表示部に表示される映像と関連付けられる音声メモデータを前記データ記憶部から前記音声再生部に送るように機能させることを特徴とするプレゼンテーションプログラム。
【請求項１０】
請求項８に記載のプレゼンテーションプログラムにおいて、
さらに、前記映像表示部に表示された映像の表示時間を計測する表示時間計測ステップと、
当該表示時間計測ステップで計測された映像の実際の表示時間と各映像ごとに予め設定された予定表示時間とを比較する表示時間比較ステップと、して前記コンピュータを機能させると共に、
前記音声メモデータ制御ステップは、前記表示時間比較ステップでの比較結果に応じて、前記データ記憶部に記憶された、進行状況に関する音声メモデータを前記音声再生部に送るように機能させることを特徴とするプレゼンテーションプログラム。
【請求項１１】
請求項８〜１０のいずれか１項に記載のプレゼンテーションプログラムにおいて、
さらに、音声メモデータに変換すべくテキストデータを入力するテキストデータ入力ステップと、
当該テキストデータ入力ステップで入力されたテキストデータを前記音声メモデータに変換する音声メモデータ変換ステップと、して前記コンピュータを機能させると共に、
前記音声メモデータ制御ステップを、当該音声メモデータ変換ステップで変換された音声メモデータを該当する映像データに関連付けて前記データ記憶部に記憶させるように機能させることを特徴とするプレゼンテーションプログラム。
【請求項１２】
複数の映像を切り換えて表示するプレゼンテーション方法であって、
前記各映像を構成する映像データおよび前記各映像と対応する音声メモデータを当該各映像ごとに関連付けてデータ記憶部に記憶するデータ記憶ステップと、
前記映像を表示する映像表示ステップと、
当該映像表示ステップで表示する映像を切り換える映像切換ステップと、
前記音声メモデータを再生する音声再生ステップと、
前記映像表示ステップで表示される映像と関連する音声メモデータを制御する音声メモデータ制御ステップと、を含むことを特徴とするプレゼンテーション方法。
【請求項１３】
請求項１２に記載のプレゼンテーション方法において、
さらに、発表者の発声状況を監視する発声状況監視ステップと、
当該発声状況監視ステップで監視された前記発表者の発声状況を解析して未発声時間を計測する未発声時間計測ステップと、を含み、
前記音声メモデータ制御ステップは、当該未発声時間計測ステップで計測された前記発表者の未発声時間が一定時間を超えたときに、前記映像表示部に表示される映像と関連付けられる音声メモデータを前記データ記憶部から前記音声再生部に送るようになっていることを特徴とするプレゼンテーション方法。
【請求項１４】
請求項１２に記載のプレゼンテーション方法において、
さらに、前記映像表示部に表示された映像の表示時間を計測する表示時間計測ステップと、
当該表示時間計測ステップで計測された映像の実際の表示時間と各映像ごとに予め設定された予定表示時間とを比較する表示時間比較ステップと、を含み、
前記音声メモデータ制御ステップは、前記表示時間比較ステップでの比較結果に応じて、前記データ記憶部に記憶された、進行状況に関する音声メモデータを前記音声再生部に送るように機能させることを特徴とするプレゼンテーション方法。
【請求項１５】
請求項１２〜１４のいずれか１項に記載のプレゼンテーション方法において、
さらに、音声メモデータに変換すべくテキストデータを入力するテキストデータ入力ステップと、
当該テキストデータ入力ステップで入力されたテキストデータを前記音声メモデータに変換する音声メモデータ変換ステップと、を含み、
前記音声メモデータ制御ステップは、当該音声メモデータ変換ステップで変換された音声メモデータを該当する映像データに関連付けて前記データ記憶部に記憶させるようになっていることを特徴とするプレゼンテーション方法。
【請求項１６】
複数の映像を切り換えながら表示するプロジェクタであって、
前記各映像を構成する映像データおよび前記各映像と対応する音声メモデータを当該各映像ごとに関連付けて記憶するデータ記憶部と、
前記各映像データからなる映像をスクリーン上に拡大表示する映像表示部と、
当該映像表示部で表示する映像を切り換える映像切換部と、
前記音声メモデータを再生する音声再生部と、
前記映像表示部で表示される映像と関連する音声メモデータを制御する音声メモデータ制御部と、を備えたことを特徴とするプロジェクタ。
【発明の詳細な説明】
【技術分野】
【０００１】
本発明は、発表者が視聴者に対して行うプレゼンテーション（presentation）において、発表者に発表内容を提供することによって発表者を支援するためのプレゼンテーションシステムおよびプレゼンテーションプログラム、並びにプレゼンテーション方法、プロジェクタに関するものである。
【背景技術】
【０００２】
係る従来のプレゼンテーションとしては、発表内容を開示したスライドなどをＯＨＰやプロジェクタなどの表示装置を用いてスクリーン上に拡大表示し、そのスクリーンの近傍に位置する発表者がそのスクリーンに表示された映像を次々と切り換えながら一定の時間内に所定の発表内容を話す、といった形態が典型的なものである。
そして、このような典型的なプレゼンテーションを実施するに際しては、その発表内容や説明順序などの補足説明などを記載した発表者だけが見れる手書き（またはワープロ）のメモを用意し、このメモを参照しながらプレゼンテーションを進行する場合が多い。
【０００３】
しかしながら、このようにメモを用いながらプレゼンテーションを進行する方法では、メモを紛失したり、発表時間や内容の変更などによって予めメモに書かれた内容とスクリーンに投影された映像とがずれてしまった場合などには迅速に対応できないという問題がある。
そのため、従来からこのようなプレゼンテーションをメモを用いることなくスムースに進行するためのアイディアが数多く提案されている。
【０００４】
例えば以下の特許文献１、３、４などでは、視聴者用の表示装置の他に発表者だけが見ることができる発明者用の表示装置を用意し、この発明者用の表示装置によって発表すべき内容やメモデータを発明者だけに表示することで発表者のプレゼンテーションを支援するようにしている。
また、以下の特許文献２などでは、レンチキュラーなどと称される指向性スクリーンを用い、この指向性スクリーンに対して発表者映像と視聴者用映像とを、それぞれ異なる角度から投影して発表者にだけ発表に必要なメモ情報を見えるようにすることで発表者のプレゼンテーションを支援するようにしている。
【０００５】
さらに、テレビ局などの司会者やアナウンサーなどに対しては、話し中にイヤホンを介してスタッフからの声を送ることで発表内容の誤りの修正や進行状況の指示などを行うことが慣習となっている。                       
【特許文献１】特開平４−２６１５８２号公報
【特許文献２】特開平７−１２０８３７号公報
【特許文献３】特開平１１−２０２８４５号公報
【特許文献４】特開２００２−３５８０６２号公報
【発明の開示】
【発明が解決しようとする課題】
【０００６】
ところで、一般に理想的といわれるプレゼンテーションとしては、発表者が常に視聴者と視線を合わせて視聴者の反応を十分に把握しながら視聴者の理解に合わせてプレゼンテーションを進行することであると考えられている。すなわち、プレゼンテーション中に発表者がメモやスクリーンばかり注視していると視聴者の反応を十分に把握できないため視聴者を無視したような進行となってしまったり、視聴者に与える印象も悪くなってしまい、効果的なプレゼンテーションが実現できない。
【０００７】
従って、前述したような従来技術では、プレゼンテーション中に発明者用の表示装置やスクリーンなどに発表者の視線が集中してしまうことから、視聴者と視線を合わせたり、視聴者の反応を十分に把握できないといった問題点がある。
また、プレゼンテーションの途中にイヤホンを介して適当な指示を送る方法では、視聴者の方向に視線を集中することは可能であるが、指示が何時送られてくるか判らない場合が多いため、不意に指示が送られてきると困惑してその指示を把握することができず、プレゼンテーションをいたずらに中断してしまうことが多い。また、発表者１人でプレゼンテーションを進行するような場合、例えば学会などにおいて個人の研究開発結果を発表するなどといった場面では、このような方法は利用することができない。
【０００８】
そこで、本発明はこのような課題を有効に解決するために案出されたものであり、その主な目的は、発表者の視線をメモやスクリーンばかりに集中させることなくプレゼンテーションの進行に際して必要な情報を確実に把握することができる新規なプレゼンテーションシステムおよびプレゼンテーションプログラム並びにプレゼンテーション方法を提供するものである。
【課題を解決するための手段】
【０００９】
〔発明１〕前記課題を解決するために発明１のプレゼンテーションシステムは、  
複数の映像を切り換えて表示するプレゼンテーションシステムであって、
前記各映像を構成する映像データおよび前記各映像と対応する音声メモデータを当該各映像ごとに関連付けて記憶するデータ記憶部と、前記映像を表示する映像表示部と、当該映像表示部に表示する映像を切り換える映像切換部と、前記音声メモデータを再生する音声再生部と、前記映像表示部に表示される映像と関連する音声メモデータを制御する音声メモデータ制御部と、を備えたことを特徴とするものである。
【００１０】
このような構成であれば、音声メモデータ制御部が前記映像切換部によって前記映像表示部に切り換えて表示される映像と関連する音声メモデータをデータ記憶部から読み出してきて所定のタイミングで音声再生部に送って再生することが可能となる。
これによって、プレゼンテーションを行う発表者はこの音声再生部で再生される音声を聞き取ることでメモの内容を的確に知ることができるため、発表者の視線をメモやスクリーンに集中させることなくプレゼンテーションの進行に際して必要なメモ情報を聴覚によって確実に把握することができる。
【００１１】
ここで、本発明でいう「プレゼンテーション」とは、特に限定するものではないが、例えば、少なくとも１人以上の視聴者が視認するための映像（または画像）をスクリーンやモニタなどの表示媒体上に所定の映像を機械的に投影（または表示）し、これらの映像を一定時間ごとに自動的にあるいは任意のときに切り換えながら少なくとも１人以上の発表者が視聴者から見える状態でその発表内容を発表するといった形態を含むものとする（以下の「プレゼンテーションシステム」に関する発明、「プレゼンテーションプログラム」に関する発明、「プレゼンテーション方法」に関する発明において同じである）。
【００１２】
また、この「プレゼンテーション」の形態は、学術団体などが主催する発表会場における研究開発に関する発表や企業の会議室などで実施される企画発表のような典型的な形態を含むことは勿論、学校や塾などの教育機関における講義や授業、新商品の展示販売など、あらゆる発表形態を含むものとする（以下の「プレゼンテーションシステム」に関する発明、「プレゼンテーションプログラム」に関する発明、「プレゼンテーション方法」に関する発明において同じである）。
【００１３】
なお、本システムは、１つのケーシングに収容した単一の装置として実現するようにしても良いし、各部を通信可能に接続したネットワークシステムとして実現するようにしても良い。
【００１４】
〔発明２〕また、発明２のプレゼンテーションシステムは、
発明１に記載のプレゼンテーションシステムにおいて、さらに、前記映像切換部からの指示に従って前記データ記憶部に記憶された映像データを前記映像表示部に送信する映像データ送信部と、前記音声メモデータ制御部からの指示に従って前記データ記憶部に記憶された音声データを前記音声再生部に送る音声メモデータ送信部と、を備えたことを特徴とするものである。
【００１５】
このような構成であれば、発明１と同様な作用・効果に加え、発表者が適当なときに映像切換部に映像の切り換え指示を送ると、この映像切換部からの指示に従って映像データ送信部が前記データ記憶部に記憶された映像データが前記映像表示部に送信されるようになるため、映像表示部に表示された映像を所定の（次の）映像に確実に切り換えることができる。
【００１６】
また、前記音声メモデータ制御部からの指示に従って音声メモデータ送信部から前記データ記憶部に記憶された音声データが前記音声再生部に送られるようになるため、映像切り換えがあったときは、次述する発明３や発明４のようにその切り換えと同時にあるいは切り換え後、発表者の指示があったときなど、的確なタイミングで音声メモデータを再生することができる。
【００１７】
〔発明３〕また、発明３のプレゼンテーションシステムは、
発明２に記載のプレゼンテーションシステムにおいて、前記音声メモデータ制御部は、前記映像データ送信部によって送信される映像データと関連する音声メモデータを当該映像データの送信と共に前記音声再生部に送るように前記音声メモデータ送信部を制御するようになっていることを特徴とするものである。
【００１８】
このような構成であれば、発明１と同様な作用・効果に加え、映像切り換えとほぼ同時に切り換わった映像に関連する音声メモデータが読み出されてきて自動的に再生されるようになるため、各映像ごとのメモ内容を確実に把握することができる。特に、このように、映像切り換えとほぼ同時にその映像に関連する音声メモデータを自動的に再生する方式の場合は、発表者がそのメモの内容を忘れてしまうといった不都合を確実に回避することができる。
【００１９】
〔発明４〕また、発明４のプレゼンテーションシステムは、
発明２に記載のプレゼンテーションシステムにおいて、前記音声メモデータ制御部は、前記映像データ送信部によって送信される映像データと関連する音声メモデータを当該映像データの送信とは独立して前記音声再生部に送るように前記音声メモデータ送信部を制御するようになっていることを特徴とするものである。
【００２０】
このような構成であれば、発明１と同様な作用・効果に加え、映像切り換え後、発表者がその映像に対応するメモを必要とするときに、その音声メモデータが読み出されてきて再生されるようになるため、各映像ごとのメモ内容を的確に把握することができる。特に、このように発表者がその映像に対応するメモを必要とするときに音声メモデータが再生されるようにした方式では、例えば同じ発表者が何度も同じ内容のプレゼンテーションを行ってそのメモの内容を覚えてしまった場合などは無駄な再生処理などを省略することができる。
【００２１】
〔発明５〕また、発明５のプレゼンテーションシステムは、
発明４に記載のプレゼンテーションシステムにおいて、さらに、発表者の発声状況を監視する発声状況監視部と、当該発声状況監視部で監視された前記発表者の発声状況を解析して未発声時間を計測する未発声時間計測部とを備え、前記メモデータ制御部は、当該未発声時間計測部で計測された前記発表者の未発声時間が一定時間を超えたときに、前記映像表示部に表示される映像と関連付けられる音声メモデータを前記データ記憶部から前記音声再生部に送るように前記音声メモデータ送信部を制御するようになっていることを特徴とするものである。
【００２２】
このような構成であれば、プレゼンテーションの途中で発表者が発表内容を忘れるなどして発表者の未発声時間が一定時間を超えたときに、必要な音声メモデータが自動的に再生されることになる。これによって、発表者自らが音声メモデータの再生指示（操作）を行わなくても、発表者は的確なタイミングで最適なメモ内容を把握することができる。また、発表者が話している最中に急に音声メモが再生されて発表者が困惑してしまうといった不都合も回避することができる。
【００２３】
〔発明６〕また、発明６のプレゼンテーションシステムは、
発明４に記載のプレゼンテーションシステムにおいて、さらに、前記映像表示部に表示された映像の表示時間を計測する表示時間計測部と、当該表示時間計測部で計測された映像の実際の表示時間と各映像ごとに予め設定された予定表示時間とを比較する表示時間比較部と、を備え、前記音声メモデータ制御部は、前記表示時間比較部での比較結果に応じて、前記データ記憶部に記憶された、進行状況に関する音声メモデータを前記音声再生部に送るように制御するようになっていることを特徴とするものである。
【００２４】
このような構成であれば、プレゼンテーション中にその進行状況に関する音声メモデータが的確にタイミングで自動的に再生されるようになるため、発表者はプレゼンテーション中に自ら発表経過時間などを計算することなく音声によってプレゼンテーションの進行状況を的確に把握することができる。これによって、発表者は視線を視聴者からそらす頻度が減るため、好印象のプレゼンテーションを実現することができる。
【００２５】
〔発明７〕また、発明７のプレゼンテーションシステムは、
発明１〜６のいずれかに記載のプレゼンテーションシステムにおいて、さらに、前記音声メモデータに変換すべくテキストデータを入力するテキストデータ入力部と、当該テキストデータ入力部で入力されたテキストデータを前記音声メモデータに変換する音声メモデータ変換部とを備え、前記音声メモデータ制御部は、当該音声メモデータ変換部で変換された音声メモデータを所定の映像データに関連付けて前記データ記憶部に記憶するようになっていることを特徴とするものである。
これによって発表者が事前に録音装置などを用いて音声によってメモを記録しておく必要がなくなり、テキスト入力用のキーボードなどの汎用の入力装置を用いることで簡単に音声メモデータを作成することができる。
【００２６】
〔発明８〕また、発明８のプレゼンテーションプログラムは、
複数の映像を切り換えて表示するプレゼンテーションプログラムであって、
コンピュータを、前記各映像を構成する映像データおよび前記各映像と対応する音声メモデータを当該各映像ごとに関連付けてデータ記憶部に記憶するデータ記憶ステップと、前記映像を表示する映像表示ステップと、当該映像表示ステップで表示する映像を切り換える映像切換ステップと、前記音声メモデータを再生する音声再生ステップと、前記映像表示ステップで表示される映像と関連する音声メモデータを制御する音声メモデータ制御ステップと、して機能させることを特徴とするものである。
【００２７】
これによって、発明１と同様な効果が得られると共に、市販のパソコンなどの汎用のコンピュータシステムを利用してソフトウェア上で各ステップを実現することができるため、各ステップを専用のハードウェアを製作して実現する場合に比べて容易且つ経済的に実施することができる。また、プログラムの一部を書き換えるだけで比較的容易にその機能の改変、改良を達成することができる。
【００２８】
〔発明９〕また、発明９のプレゼンテーションプログラムは、
発明８に記載のプレゼンテーションプログラムにおいて、さらに、前記コンピュータを、前記映像切換ステップからの指示に従って前記データ記憶部に記憶された映像データを前記映像表示部に送信する映像データ送信ステップと、前記音声メモデータ制御ステップからの指示に従って前記データ記憶部に記憶された音声メモデータを前記音声再生ステップに送る音声メモデータ送信ステップと、して機能させることを特徴とするものである。
【００２９】
これによって、発明２と同様な効果が得られると共に、発明８と同様に、市販のパソコンなどの汎用のコンピュータシステムを利用してソフトウェア上で各ステップを実現することができるため、各ステップを専用のハードウェアを製作して実現する場合に比べて容易且つ経済的に実施することができる。また、プログラムの一部を書き換えるだけで比較的容易にその機能の改変、改良を達成することができる。
【００３０】
〔発明１０〕また、発明１０のプレゼンテーションプログラムは、
発明９に記載のプレゼンテーションプログラムにおいて、前記音声メモデータ制御ステップは、前記映像データ送信部によって送信される映像データと関連する音声メモデータを当該映像データの送信と共に前記音声再生部に送るように前記音声メモデータ送信部を制御するようになっていることを特徴とするものである。
【００３１】
これによって、発明３と同様な効果が得られると共に、発明８と同様に、市販のパソコンなどの汎用のコンピュータシステムを利用してソフトウェア上で各ステップを実現することができるため、各ステップを専用のハードウェアを製作して実現する場合に比べて容易且つ経済的に実施することができる。また、プログラムの一部を書き換えるだけで比較的容易にその機能の改変、改良を達成することができる。
【００３２】
〔発明１１〕また、発明１１のプレゼンテーションプログラムは、
発明９に記載のプレゼンテーションプログラムにおいて、前記音声メモデータ制御ステップは、前記映像データ送信部によって送信される映像データと関連する音声メモデータを当該映像データの送信とは独立して前記音声再生部に送るように前記音声メモデータ送信部を制御するようになっていることを特徴とするものである。
【００３３】
これによって、発明４と同様な効果が得られると共に、発明８と同様に、市販のパソコンなどの汎用のコンピュータシステムを利用してソフトウェア上で各ステップを実現することができるため、各ステップを専用のハードウェアを製作して実現する場合に比べて容易且つ経済的に実施することができる。また、プログラムの一部を書き換えるだけで比較的容易にその機能の改変、改良を達成することができる。
【００３４】
〔発明１２〕また、発明１２のプレゼンテーションプログラムは、
発明８に記載のプレゼンテーションプログラムにおいて、さらに、発表者の発声状況を監視する発声状況監視ステップと、当該発声状況監視ステップで監視された前記発表者の発声状況を解析して未発声時間を計測する未発声時間計測ステップと、して前記コンピュータを機能させると共に、前記音声メモデータ制御ステップを、当該未発声時間計測ステップで計測された前記発表者の未発声時間が一定時間を超えたときに、前記映像表示部に表示される映像と関連付けられる音声メモデータを前記データ記憶部から前記音声再生ステップに送るように機能させることを特徴とするものである。
【００３５】
これによって、発明５と同様な効果が得られると共に、発明８と同様に、市販のパソコンなどの汎用のコンピュータシステムを利用してソフトウェア上で各ステップを実現することができるため、各ステップを専用のハードウェアを製作して実現する場合に比べて容易且つ経済的に実施することができる。また、プログラムの一部を書き換えるだけで比較的容易にその機能の改変、改良を達成することができる。
【００３６】
〔発明１３〕また、発明１３のプレゼンテーションプログラムは、
発明８に記載のプレゼンテーションプログラムにおいて、さらに、前記映像表示部に表示された映像の表示時間を計測する表示時間計測ステップと、当該表示時間計測ステップで計測された映像の実際の表示時間と各映像ごとに予め設定された予定表示時間とを比較する表示時間比較ステップと、して前記コンピュータを機能させると共に、前記音声メモデータ制御ステップは、前記表示時間比較ステップでの比較結果に応じて、前記データ記憶部に記憶された、進行状況に関する音声メモデータを前記音声再生部に送るように機能させることを特徴とするものである。
【００３７】
これによって、発明６と同様な効果が得られると共に、発明８と同様に、市販のパソコンなどの汎用のコンピュータシステムを利用してソフトウェア上で各ステップを実現することができるため、各ステップを専用のハードウェアを製作して実現する場合に比べて容易且つ経済的に実施することができる。また、プログラムの一部を書き換えるだけで比較的容易にその機能の改変、改良を達成することができる。
【００３８】
〔発明１４〕また、発明１４のプレゼンテーションプログラムは、
発明８〜１３のいずれかに記載のプレゼンテーションプログラムにおいて、さらに、音声メモデータに変換すべくテキストデータを入力するテキストデータ入力ステップと、当該テキストデータ入力ステップで入力されたテキストデータを前記音声メモデータに変換する音声メモデータ変換ステップと、して前記コンピュータを機能させると共に、前記音声メモデータ制御ステップを、当該音声メモデータ変換ステップで変換された音声メモデータを該当する映像データに関連付けて前記データ記憶部に記憶させるように機能させることを特徴とするものである。
【００３９】
これによって、発明７と同様な効果が得られると共に、発明８と同様に、市販のパソコンなどの汎用のコンピュータシステムを利用してソフトウェア上で各ステップを実現することができるため、各ステップを専用のハードウェアを製作して実現する場合に比べて容易且つ経済的に実施することができる。また、プログラムの一部を書き換えるだけで比較的容易にその機能の改変、改良を達成することができる。
【００４０】
〔発明１５〕また、発明１５のプレゼンテーション方法は、
複数の映像を切り換えて表示するプレゼンテーション方法であって、前記各映像を構成する映像データおよび前記各映像と対応する音声メモデータを当該各映像ごとに関連付けてデータ記憶部に記憶するデータ記憶ステップと、前記映像を表示する映像表示ステップと、当該映像表示ステップで表示する映像を切り換える映像切換ステップと、前記音声メモデータを再生する音声再生ステップと、前記映像表示ステップで表示される映像と関連する音声メモデータを制御する音声メモデータ制御ステップと、を含むことを特徴とするものである。
【００４１】
これによって、発明１と同様にプレゼンテーションの発表者はこの音声再生部で再生される音声を聞き取ることでメモの内容を的確に知ることができるため、発表者の視線をメモやスクリーンに集中させることなくプレゼンテーションの進行に際して必要なメモ情報を聴覚によって確実に把握することができる。
【００４２】
〔発明１６〕また、発明１６のプレゼンテーション方法は、
発明１５に記載のプレゼンテーション方法において、さらに、前記映像切換ステップからの指示に従って前記データ記憶ステップで記憶された映像データを前記映像表示ステップに送信する映像データ送信ステップと、前記音声メモデータ制御ステップからの指示に従って前記データ記憶ステップで記憶された音声データを前記音声再生ステップに送る音声メモデータ送信ステップと、を含むことを特徴とするものである。
【００４３】
これによって発明２と同様に、映像切り換えがあったときは、次述する発明１７や発明１８のようにその切り換えと同時にあるいは切り換え後、発表者の指示があったときなど、的確なタイミングで音声メモデータを再生することができる。
【００４４】
〔発明１７〕また、発明１７のプレゼンテーション方法は、
発明１６に記載のプレゼンテーション方法において、前記音声メモデータ制御ステップは、前記映像データ送信ステップによって送信される映像データと関連する音声メモデータを当該映像データの送信と共に前記音声再生ステップに送るように前記音声メモデータ送信ステップを制御するようになっていることを特徴とするものである。
これによって発明３と同様に映像切り換えとほぼ同時に切り換わった映像に関連する音声メモデータが読み出されてきて自動的に再生されるようになるため、各映像ごとのメモ内容を確実に把握することができる。
【００４５】
〔発明１８〕また、発明１７のプレゼンテーション方法は、
発明１６に記載のプレゼンテーション方法において、前記音声メモデータ制御ステップは、前記映像データ送信ステップによって送信される映像データと関連する音声メモデータを当該映像データの送信とは独立して前記音声再生ステップに送るように前記音声メモデータ送信ステップを制御するようになっていることを特徴とするものである。
これによって発明４と同様に映像切り換え後、発表者がその映像に対応するメモを必要とするときに、その音声メモデータが読み出されてきて再生されるようになるため、各映像ごとのメモ内容を的確に把握することができる。
【００４６】
〔発明１９〕また、発明１７のプレゼンテーション方法は、
発明１５に記載のプレゼンテーション方法において、さらに、発表者の発声状況を監視する発声状況監視ステップと、当該発声状況監視ステップで監視された前記発表者の発声状況を解析して未発声時間を計測する未発声時間計測ステップと、を含み、
前記音声メモデータ制御ステップは、当該未発声時間計測ステップで計測された前記発表者の未発声時間が一定時間を超えたときに、前記映像表示ステップで表示される映像と関連付けられる音声メモデータを前記データ記憶部から前記音声再生部に送るようになっていることを特徴とするものである。
これによって発明５と同様に発表者自らが音声メモデータの再生指示（操作）を行わなくても、発表者は的確なタイミングで最適なメモ内容を把握することができる。また、発表者が話している最中に急に音声メモが再生されて発表者が困惑してしまうといった不都合も回避することができる。
【００４７】
〔発明２０〕また、発明２０のプレゼンテーション方法は、
発明１２に記載のプレゼンテーション方法において、さらに、前記映像表示部に表示された映像の表示時間を計測する表示時間計測ステップと、当該表示時間計測ステップで計測された映像の実際の表示時間と各映像ごとに予め設定された予定表示時間とを比較する表示時間比較ステップと、を含み、前記音声メモデータ制御ステップは、前記表示時間比較ステップでの比較結果に応じて、前記データ記憶部に記憶された、進行状況に関する音声メモデータを前記音声再生部に送るように機能させることを特徴とするものである。
これによって発明６と同様に発表者は視線を視聴者からそらす頻度が減るため、好印象のプレゼンテーションを実現することができる。
【００４８】
〔発明２１〕また、発明２１のプレゼンテーション方法は、
発明１５〜２０のいずれかに記載のプレゼンテーション方法において、さらに、音声メモデータに変換すべくテキストデータを入力するテキストデータ入力ステップと、当該テキストデータ入力ステップで入力されたテキストデータを前記音声メモデータに変換する音声メモデータ変換ステップと、を含み、前記音声メモデータ制御ステップは、当該音声メモデータ変換ステップで変換された音声メモデータを該当する映像データに関連付けて前記データ記憶部に記憶させるようになっていることを特徴とするものである。
これによって発明７と同様にプレゼンテーションを行う発表者が事前に録音装置などを用いて音声によってメモを記録しておく必要がなくなり、テキスト入力用のキーボードなどの汎用の入力装置を用いることで簡単に音声メモデータを作成することができる。
【００４９】
〔発明２２〕また、発明２２のプロジェクタは、
複数の映像を切り換えながら表示するプロジェクタであって、前記各映像を構成する映像データおよび前記各映像と対応する音声メモデータを当該各映像ごとに関連付けて記憶するデータ記憶部と、前記各映像データからなる映像をスクリーン上に拡大表示する映像表示部と、当該映像表示部で表示する映像を切り換える映像切換部と、前記音声メモデータを再生する音声再生部と、前記映像表示部で表示される映像と関連する音声メモデータを制御する音声メモデータ制御部と、を備えたことを特徴とするものである。
これによって、発明１のプレゼンテーションシステムと同様な機能をプロジェクタ単体に実現することが可能となる。
【発明を実施するための最良の形態】
【００５０】
以下、本発明を実施するための最良の形態を添付図面を参照しながら詳述する。
図１は、本発明に係るプレゼンテーションシステム１００の実施の一形態を示したものである。
図示するように、このプレゼンテーションシステム１００は、表示する映像を構成する映像データおよび前記各映像と対応する音声メモデータを当該各映像ごとに関連付けて記憶するデータ記憶部１０と、映像を視聴者が視認できるように実際に表示する映像表示部１２と、この映像表示部１２で表示される映像を切り換える映像切換部１４と、前記データ記憶部１０に保存された音声メモデータを再生する音声再生部１６と、前記映像表示部１２で表示される映像と関連する音声メモデータを制御する音声メモデータ制御部１８と、前記映像表示部１２で表示される映像を構成する映像データを前記データ記憶部１０から読み出してきて前記映像表示部１２に送信する映像データ送信部２０と、前記音声再生部１６で再生される音声メモを構成する音声メモデータを同じく前記データ記憶部１０から読み出してきて前記音声再生部１６に送信する音声データ送信部２２、とから主に構成されている。
【００５１】
ここでデータ記憶部１０は、実際にはＨＤＤ（ハードディスクドライブ）やＣＤ−ＲＯＭ、ＤＶＤ−ＲＯＭドライブなどの大容量のデジタルデータ記憶装置から構成されており、例えばマイクロソフト社のプレゼンテーションソフトウェアであるＰｏｗｅｒＰｏｉｎｔ（登録商標）のようなスライド（映像）から構成される複数の映像データと、これら各映像データに対応する音声メモデータとが例えば図３に示すようにそれぞれ関連付けられて読み出し自在に保存されている。
【００５２】
図３は、このスライド（映像）と、音声メモデータ（ＭＰ３）との関連付けを示したデータ構造である。
図示するように、例えば、表示するスライドＳが４つ存在する場合は、それぞれのスライドＳに「１」から「４」のスライド番号を付与すると共に、各スライドＳ１〜Ｓ４に対応する音声メモデータファイルＦ１〜Ｆ４がそれぞれ関連付けられて保存されるようになっている。一例を挙げると、スライド番号「２」のスライドＳ２に対しては、「.\Presen1\memo02.mp3」という音声メモデータＦ２が関連付けられて保存され、また、スライド番号「４」のスライドＳ４に対しては、「.\Presen1\memo04.mp 3」という音声メモデータＦ４が関連付けられて保存されている。
【００５３】
また、映像表示部１２は、所定のスライドＳを拡大表示できる機能を有するものであれば特に限定されるものではなく、例えば、白色の壁面やスクリーン上に映像を拡大表示するプロジェクタの他、液晶ディスプレイ（ＬＣＤ）、プラズマディスプレイ（ＰＤＰ）、ＣＲＴ等を用いることができる。
音声再生部１６は、音声メモデータを受信し、これを音声に変換してスピーカなどの音声出力手段から出力する機能を有するものであれば特に限定されるものでなく、例えば、携帯型オーディオ（ＭＰ３）プレイヤーなどを用いることができる。なお、より好ましくは音声出力手段としてイヤホンや音声調整機能を有するスピーカを備え、発表者にしか音が聞こえないような形態が望ましい。
【００５４】
また、映像切換部１４および音声メモデータ制御部１８は、例えば、図４に示すようなリモコン２００と、このリモコン２００からの信号を受信してその信号に対応した処理を実行する図示しない信号処理部とから構成されており、後に詳述するように発表者がこのリモコン２００の各種ボタンを操作することでスライド（映像）の切り換えや関連する音声メモデータの再生などを遠隔で自由にコントロールできるようになっている。
【００５５】
また、映像データ送信部２０および音声データ送信部２２は、これら映像切換部１４および音声メモデータ制御部１８による送信命令に従ってそれぞれ機能するようになっており、有線ケーブルを用いた伝送システムの他、例えば、ＩＥＥＥ８０２．１１ａ／ｂ／ｇなどの無線ＬＡＮプロトコルを実装した無線ネットワークシステムを用いることができる。
【００５６】
そして、このプレゼンテーションシステム１００は、実際には図２に示すような中央演算処理装置（ＣＰＵ）と主記憶装置（ＲＡＭ）および各種入出力装置を備えたパソコン（ＰＣ）などのハードウェアと各種制御用のソフトウェアとからなるコンピュータシステムによって実現することができる。
図２は、このプレゼンテーションシステム１００を実現するためのハードウェア構成の一例を示したものである。
【００５７】
図示するように、このハードウェア構成は、各種制御や演算処理を担う中央演算処理装置であるＣＰＵ(Central Processing Unit)９０と、主記憶装置(Main Storage)を構成するＲＡＭ(Random Access Memory)９１と、読み出し専用の記憶装置であるＲＯＭ(Read Only Memory)９２との間をＰＣＩ(Peripheral Component Interconnect)バスやＩＳＡ(Industrial Standard Architecture)バス等からなる各種内外バス９７で接続すると共に、このバス９７に入出力インターフェース（Ｉ／Ｆ）９６を介して、ＨＤＤ等の外部記憶装置(Secondary Storage)９３と、前記映像表示部１２を構成するプロジェクタなどの出力装置９４と、前記映像切換部１４および音声メモデータ制御部１８を構成するリモコン２００などの入力装置９５とを接続したものである。
【００５８】
そして、電源を投入すると、ＲＯＭ９２などに記憶されたＢＩＯＳなどのシステムプログラムが、同じくＲＯＭ９２に予め記憶された各種専用のコンピュータプログラム、あるいはＣＤ−ＲＯＭやＤＶＤ−ＲＯＭ、フレキシブルディスク（ＦＤ）等の記憶媒体に記録されたコンピュータプログラムを読み出してきてＲＡＭ９１にロードし、そのＲＡＭ９１にロードされたプログラムに記述された命令に従ってＣＰＵ９０が各種リソースを駆使して各種の制御および演算処理を行うことで後述するような各処理や各機能をソフトウェア上で実現可能となっている。
【００５９】
また、図５は、音声メモデータファイルＦの作成方法の一例を示したものである。
編集対象となるスライド（１）に関連するメモが、例えば「Ａの部分を強調すること」および「時間がなければＢの説明は省略」というような内容を含むような場合、先ず、図２に示す入出力インターフェース（Ｉ／Ｆ）９６に対して音声入力用の入力装置９５の一種であるマイクロフォンを接続してからスライド編集用のソフトウェアを起動すると、図示するようにモニタ３００にスライド編集画面を表示するためのウィンドウＷ１と操作を指示するメッセージなどを表示するためのウィンドウＷ２、および操作を入力するための決定ボタンＢなどが表示される。
【００６０】
そして、このような状態で該当するスライドを選択するとこれがモニタ３００の左側のウィンドウＷ１に表示されると共に、その右側のウィンドウＷ２に音声メモの入力を促すようなメッセージ、例えば「メモを入力してください」というようなメッセージが表示されることから、このようなメッセージが表示された後に、発表者などが前述したようなメモを読み上げその肉声をマイクを介して入力すると、その音声がＡ／Ｄ変換されて音声メモデータに変換された後、その音声メモデータに対応するＭＰ３ファイルが作成されて「スライド１の音声メモ（.\Presen1\memo01.mp3）を作成しました」などといったメッセージが右側のウィンドウＷ２に表示される。そして、その内容で良ければ、決定ボタンＢを押すことで音声メモデータファイルＦの作成と同時にその音声メモデータファイルＦとスライド（映像）Ｓとの関連付けが行われて保存されることになる。
【００６１】
次に、このような構成をしたプレゼンテーションシステム１００における音声メモデータの制御の流れを図６のフローチャートおよび図１の機能ブロックなどを主に参照しながら説明する。
先ず、このプレゼンテーションシステム１００は、電源投入後各種プログラムの読み込みや機能チェックなどの所定の初期動作が終了して各種機能が稼働可能状態になったならば、図６に示す最初のステップＳ１００に移行して所定のスライドＳに関する映像切換え命令があるか否かを判断する。なお、このように電源投入直後は映像の切り換えといった概念はないため、最初のスライド（映像）Ｓに対する表示命令があるか否かを判断することになる。
【００６２】
ここで、この最初のステップＳ１００における映像切換え命令は、図４に示すようなリモコン２００を用い、発表者が映像表示ボタンＰ１を押すことで無線あるいは有線を介してその発表者の恣意によって発することができる。
なお、このリモコン２００には、図示するように前後の映像に切り換えるための映像切換ボタンＮ１、Ｒ１と、前後それぞれのメモに切り換えて再生するための音声切換ボタンＮ２、Ｒ２とが設けられている。また、このような形態のリモコン２００に代えてパソコンなどのキーボードを用いることも可能であり、例えば、音声切換命令は下カーソルキーを押すことで、また、音声再生命令はＥＮＴＥＲキーを押すなどによってその命令に対応するトリガ（trigger）が発生するようなものであれば良い。
【００６３】
次に、この最初のステップＳ１００において未だ映像切換え命令がなされていないと判断したとき（Ｎｏ）は、その命令がなされるまで待機あるいは一定時間ごとにその判断が繰り返されることになるが、これとは反対に映像切換え命令がなされたと判断したとき（Ｙｅｓ）は、次のステップＳ１０２に移行して次のスライドＳを切換え表示または最初のスライドを表示する。
【００６４】
具体的には、図１に示すようにリモコン２００から映像切換命令を受けた映像切換部１４が映像データ送信部２０を制御し、その映像データ送信部２０がデータ記憶部１０に保存された該当するスライドＳを構成する映像データを読み出してきてそれを映像表示部１２に送り、映像表示部１２によってその映像データを視認可能な映像として壁面やスクリーン、モニタなどに表示することになる。また、図１に示すようにこの映像切換部１４からの映像切換命令は音声メモデータ制御部１８にも送られ、この命令を受けた音声メモデータ制御部１８が表示されるスライドＳの種類を把握する。
【００６５】
次に、図６に戻り、ステップＳ１０２において映像切換表示がなされたならば、次のステップＳ１０４に移行してそのスライドＳと関連する音声メモデータ（ファイルＦ）が存在するか否かを判断し、音声メモデータ（ファイルＦ）が存在しないと判断したとき（Ｎｏ）は、ステップＳ１１２までジャンプすることになるが、音声メモデータ（ファイルＦ）が存在すると判断したとき（Ｙｅｓ）は、次のステップＳ１０６に移行してさらにここで該当するその音声メモデータ（ファイルＦ）の再生タイミングが判断される。
【００６６】
このステップＳ１０４における判断は、具体的には図１に示すように音声メモデータ制御部１８が映像切換部１４からの切換命令を受けたときに、切り換わったスライドＳの種類を把握すると共にそのスライドＳに関連する音声メモデータ（ファイルＦ）が存在するか判断し、音声メモデータ（ファイルＦ）が存在すると判断したときは、その音声メモデータの再生タイミングを把握することになる。なお、全てのスライドＳにそれぞれ関連する音声メモデータ（ファイルＦ）が必ず存在する場合は、このステップＳ１０４を省略可能なことは勿論である。
【００６７】
そして、この判断ステップＳ１０６においてスライドＳの切換とほぼ同時に音声メモを再生すると判断したとき（Ｙｅｓ）は、次のステップＳ１０８をジャンプしてステップＳ１１０まで移行することになるが、そうではないと判断したとき（Ｙｅｓ）は、さらに次のステップＳ１０８に移行して音声メモ再生命令があるか否かを判断する。
具体的には、図４に示すようなリモコン２００を用いてメモ再生用のスイッチＰ２が押されたか否かを音声メモデータ制御部１８が判断し、メモ再生用のスイッチＰ２が押されることによって発生する識別コード信号を受信したときに音声メモ再生命令があったと判断することになる。
【００６８】
そして、図６に示すように、このステップＳ１０８において音声メモ再生命令がないと判断したとき（Ｙｅｓ）は、次のステップＳ１１０をジャンプしてステップＳ１１２に移行することになるが、反対に音声メモ再生命令があると判断したとき（Ｙｅｓ）は、次のステップＳ１１０に移行して関連する音声メモデータ（ファイルＦ）を再生する。
例えば、図３に示すように、表示されている映像がスライド番号「１」のスライドＳ１であって、それに対応する音声メモデータが「.\Presen1\mem o01.mp3」の音声メモデータファイルＦ１でその内容が「Ａの部分を強調すること」および「時間がなければＢの説明は省略」であった場合は、音声メモデータ制御部１８が音声データ送信部２２を制御し、その音声データ送信部２２がデータ記憶部１０からその音声メモデータファイルＦ１（「.\Presen1\memo01.mp3」）を読み出してきて音声再生部１６に送信することによってその内容が音声として音声再生部１６から再生される。
【００６９】
そして、このようにしてステップＳ１１０における音声メモデータ（ファイルＦ）の再生がなされたならば、最後のステップＳ１１２に移行してそのプレゼンテーションにおいてその後に表示すべく次の（残りの）スライド（映像）Ｓが存在するか否かを判断し、存在しないと判断したとき（Ｎｏ）は、そのまま処理を終了することになるが、存在すると判断したとき（Ｙｅｓ）は、再び最初のステップＳ１００に戻って全てのスライドＳが表示されるまで同様の処理を繰り返すことになる。  
【００７０】
これによって、発表者はスライドＳが切り換わった瞬間、あるいは所望のときにそのスライドＳに関連した音声メモを耳で聞くことができるため、視線を手元やスクリーン側に集中させる必要がなくなり、常に視聴者から視線をそらすことなくプレゼンテーションに必要なメモ情報を的確に把握することができる。
また、スライドＳが切り換わった瞬間に音声メモを再生することにより、発表者は音声メモの再生タイミングを予め知ることができることから、その音声メモを聞き逃すことなくそのメモ内容を的確に把握することができる。これによって、不意に音声メモが再生された場合の困惑やプレゼンテーションのスムースな流れを阻害するといった不都合も未然に回避することができる。
【００７１】
また、リモコン２００からの音声再生命令があったときに音声メモを再生することにより、発表者が必要なときにその音声メモを聞くことができることから、過去に何度も同じ内容のプレゼンテーションを繰り返して既にそのメモ内容を覚えてしまった場合などに、いたずらに同じ内容の音声メモが繰り返し再生されてしまうといった不都合を解消することができる。
【００７２】
また、このように発表者が必要なときに音声メモを再生するような方法では、前述したように図４に示すリモコン２００の再生切換ボタンＲ２などを押すことで、同じ内容の音声メモを何度も再生し直すことが可能となるため、聞き逃した音声メモの内容を確実に把握することが可能となる。
次に、図７は本発明に係るプレゼンテーションシステム１００の第２の実施の形態を示したものである。
【００７３】
図示するように、このプレゼンテーションシステム１００は、前記第１の実施の形態で説明したように、表示する映像を構成する映像データおよび前記各映像と対応する音声メモデータを当該各映像ごとに関連付けて記憶するデータ記憶部１０と、映像を視聴者が視認できるように実際に表示する映像表示部１２と、この映像表示部１２で表示される映像を切り換える映像切換部１４と、前記データ記憶部１０に保存された音声メモデータを再生する音声再生部１６と、前記映像表示部１２で表示される映像と関連する音声メモデータを制御する音声メモデータ制御部１８と、前記映像表示部１２で表示される映像を構成する映像データを前記データ記憶部１０から読み出してきて前記映像表示部１２に送信する映像データ送信部２０と、前記音声再生部１６で再生される音声メモを構成する音声メモデータを同じく前記データ記憶部１０から読み出してきて前記音声再生部１６に送信する音声データ送信部２２とに加え、さらに、発声状況監視部２４と、未発声時間計測部２６とを備えたものである。
【００７４】
先ず、発声状況監視部２４は、具体的には図示しないマイクロフォンと、そのマイクロフォンで拾った音声から発表者の発声状況を監視する監視システム（図示せず）とからなっており、マイクロフォンで拾った音声のうち、発表者の声に相当する音声のみを選択してその発声状況を未発声時間計測部２６に通知する機能を発揮するようになっている。
ここで、一般的なプレゼンテーションの形態は、発表者がマイクロフォンを身に付けるか、手に持って発声し、その声を拾ったマイクロフォンの音声信号をアンプなどの増幅器によって増幅して発表会場に据え付けのスピーカなどから流すようになっているが、このような形態では、発表者の説明のための声のみならず、会場のざわめきや視聴者の声などの雑音も同時に拾うことになる。そのため、発表者の音声と雑音との区別ができない場合は、例えば、発表者自身の音声の周波数帯域を記憶しておき、その周波数帯域の音声を発表者の音声とみなして雑音と区別したり、入力する音の大きさ（ｄＢ）を閾値で区別し、閾値を超える音を音声とみなし、閾値以下の音を雑音と判断するなどによって発表者の音声と雑音とを区別することができる。
【００７５】
一方、未発声時間計測部２６は、具体的には、時間を計測するタイマー（図示せず）と、発表者の発声状況を解析する発声状況解析システム（図示せず）とからなっており、前記発声状況監視部２４で監視された発表者の発声状況を解析して発表者の未発声時間を計測し、その計測結果を音声メモデータ制御部１８に通知する機能を提供するようになっている。
【００７６】
ここで、発表者の発声といっても、プレゼンテーションに必要な説明といった、実質的に中身のある音声と、困惑したときや言葉に詰まったときに出てくる「えー」とか「あのー」といった実質的に中身のない音声も当然に含まれることが考えられる。
そのため、この未発声時間計測部２６における発表者の未発声時間の計測方法としては、単に発表者の音声がない時間そのものの他、発表者の音声を実質的に中身のある音声と実質的に中身のない音声と区別し、実質的に中身のない音声を未発声時間とみなすようにすることが望ましい。
【００７７】
そして、本実施の形態において音声メモデータ制御部１８は、さらにこの未発声時間計測部２４で計測された発表者の未発声時間が所定時間を超えたときに、前記映像表示部１２に表示される映像と関連付けられる音声メモデータを前記データ記憶部１０から音声再生部１６に送るように音声メモデータ送信部２２を制御するようになっている。
なお、本実施の形態に係るプレゼンテーションシステム１００も前記第１の実施の形態と同様に、図２に示すようなＣＰＵやＲＯＭ、ＲＡＭなどのハードウェアと、後述するような制御プログラムとからなるソフトウェアとのコンピュータシステムによって実現可能となっている。
【００７８】
次に、このような構成をした本実施の形態のプレゼンテーションシステム１００における音声メモデータの制御の流れを図８のフローチャートおよび図７の機能ブロックなどを主に参照しながら説明する。
先ず、このプレゼンテーションシステム１００は、電源投入後各種プログラムの読み込みや機能チェックなどの所定の初期動作が終了して各種機能が稼働可能状態になったならば、図８に示す最初のステップＳ２００に移行して所定のスライドＳに関する映像切換え命令があるか否かを判断する。なお、第１の実施の形態と同様、電源投入直後は映像の切り換えといった概念はないため、最初のスライド（映像）Ｓに対する表示命令があるか否かを判断することになる。また、この最初のステップＳ２００における映像切換え命令は、図４に示すようなリモコン２００を用い、発表者が映像表示ボタンＰ１を押すことで無線あるいは有線を介してその発表者の恣意によって発することができる。
【００７９】
次に、この最初のステップＳ２００において未だ映像切換え命令がなされていないと判断したとき（Ｎｏ）は、その命令がなされるまで待機あるいは一定時間ごとにその判断が繰り返されることになるが、これとは反対に映像切換え命令がなされたと判断したとき（Ｙｅｓ）は、次のステップＳ２０２に移行して次のスライドＳを切換え表示または最初のスライドＳを表示する。
【００８０】
次に、このステップＳ２０２において映像切換表示がなされたならば、次のステップＳ２０４に移行して発表者の未発声時間を逐一計測し、次の判断ステップＳ２０４においてその未発声時間が所定時間に達したか否かを判断する。ここで「所定時間」とは、プレゼンテーションの種類や内容、発表者の個性によって様々であるため、特に限定するものではないが、例えば、数秒〜１０秒程度の未発声時間は通常頻繁に起こりうるため、「所定時間」を十秒以上と設定することが考えられる。
【００８１】
そして、この判断ステップＳ２０６において、その未発声時間が所定時間に達していないと判断したとき（Ｎｏ）は、ステップＳ２０４まで戻ってさらに引き続き未発声時間を計測することになるが、その未発声時間が所定時間に達したと判断したとき（Ｙｅｓ）は、次のステップＳ２０８に移行して所定の音声メモデータ、例えば、「Ａの説明を終えたらＢの説明をする」といった内容の音声メモデータや、「ＣとＤの説明は省略しても良い」などといった内容の音声メモデータを読み出してきて再生処理することになる。
【００８２】
そして、このようにして所定の音声メモデータの再生が終了したならば、最後のステップＳ２１０に移行してそのプレゼンテーションにおいてその後に表示すべく次の（残りの）スライド（映像）Ｓが存在するか否かを判断し、存在しないと判断したとき（Ｎｏ）は、そのまま処理を終了することになるが、存在すると判断したとき（Ｙｅｓ）は、再び最初のステップＳ２００に戻って全てのスライドＳが表示されるまで同様の処理を繰り返すことになる。
【００８３】
このように本実施の形態は、プレゼンテーション中における発表者の発声状況を常時モニタリングし、未発声時間が所定に時間に達したときに、該当する音声メモデータを自動的に再生するようにしたことから、プレゼンテーションの途中で発表者が発表内容を忘れるなどして発表者が無言状態になったときに、発表者自らが音声メモデータの再生指示（操作）を行わなくても、発表者は的確なタイミングで最適なメモ内容を把握することができる。
【００８４】
これによって、無言状態などが長引いて発明者の説明が中断することがなくなり、スムースなプレゼンテーションを実現することができる。また、第１の実施の形態と同様に、発表者が話している最中に急に音声メモが再生されて発表者が困惑してしまうといった不都合も回避することができる。
次に、図９は本発明に係るプレゼンテーションシステム１００の第３の実施の形態を示したものである。
【００８５】
図示するように、このプレゼンテーションシステム１００は、前記第１の実施の形態で説明したように、表示する映像を構成する映像データおよび前記各映像と対応する音声メモデータを当該各映像ごとに関連付けて記憶するデータ記憶部１０と、映像を視聴者が視認できるように実際に表示する映像表示部１２と、この映像表示部１２で表示される映像を切り換える映像切換部１４と、前記データ記憶部１０に保存された音声メモデータを再生する音声再生部１６と、前記映像表示部１２で表示される映像と関連する音声メモデータを制御する音声メモデータ制御部１８と、前記映像表示部１２で表示される映像を構成する映像データを前記データ記憶部１０から読み出してきて前記映像表示部１２に送信する映像データ送信部２０と、前記音声再生部１６で再生される音声メモを構成する音声メモデータを同じく前記データ記憶部１０から読み出してきて前記音声再生部１６に送信する音声データ送信部２２とに加え、さらに、表示時間計測部２８と、表示時間比較部３０とを備えたものである。
【００８６】
先ず、この表示時間計測部２８は、具体的には図示しないタイマーと、表示時間計測システム（図示せず）とからなっており、プレゼンテーション開始時間からの現在までの経過時間と実際に表示されている各スライド（映像）ごとの表示開始時間とを計測してその計測結果を随時、表示時間比較部３０に通知する機能を発揮するようになっている。
一方、表示時間比較部３０は、図１１に示すような各スライドＳごとの表示開始予定時刻を記録したスライド表示開始予定時刻テーブル３００と、このスライド表示開始予定時刻テーブル３００と、表示時間比較システム（図示せず）とからなっており、この表示時間比較システムによって前記表示時間計測部２８から通知されてくる実際のスライドごとの表示開始時間と、前記スライド表示開始予定時刻テーブル３００に記述された各スライドＳごとの表示開始予定時刻とを比較してその比較結果を前記音声メモデータ制御部１８に通知するようになっている。
【００８７】
そして、本実施の形態において音声メモデータ制御部１８は、さらに、この表示時間比較部３０での比較結果に応じて、前記データ記憶部１０に記憶された、進行状況に関する音声メモデータを前記音声再生部１６に送るように音声データ送信部２２を制御するようになっている。
なお、本実施の形態に係るプレゼンテーションシステム１００も前記第１および第２の実施の形態と同様に、図２に示すようなＣＰＵやＲＯＭ、ＲＡＭなどのハードウェアと、後述するような制御プログラムとからなるソフトウェアとのコンピュータシステムによって実現可能となっている。
【００８８】
次に、このような構成をした本実施の形態のプレゼンテーションシステム１００における音声メモデータの制御の流れを図１０のフローチャートおよび図９の機能ブロックなどを主に参照しながら説明する。
先ず、このプレゼンテーションシステム１００は、電源投入後各種プログラムの読み込みや機能チェックなどの所定の初期動作が終了して各種機能が稼働可能状態になったならば、図１０に示す最初のステップＳ３００に移行してプレゼンテーションが開始されたか否かを判断し、プレゼンテーションが開始されたと判断したとき（Ｙｅｓ）は、次のステップＳ３０２に移行して時間計測用のタイマーをスタートさせた後、次のステップＳ３０４に移行して所定のスライドＳに関する映像切換え命令があるか否かを判断する。なお、第１の実施の形態と同様、電源投入直後は映像の切り換えといった概念はないため、最初のスライド（映像）Ｓに対する表示命令があるか否かを判断することになる。
【００８９】
次に、このステップＳ３０４において未だ映像切換え命令がなされていないと判断したとき（Ｎｏ）は、その命令がなされるまで待機あるいは一定時間ごとにその判断が繰り返されることになるが、これとは反対に映像切換え命令がなされたと判断したとき（Ｙｅｓ）は、次のステップＳ３０６に移行して現在表示されているスライドＳの予定開始時刻を前述したようなスライド表示開始予定時刻テーブル３００から取得する。
【００９０】
図１１は、このスライド表示開始予定時刻テーブル３００の一例を示したものであり、各スライドＳごとに識別用のスライド番号Ｓ１〜Ｓ４が付与され、各スライドＳ１〜Ｓ４ごとに対応数Ｒスライド開始時刻Ｔ１〜Ｔ４が設定されている。例えば、スライドＳ２は最初のスライドＳ１が表示されてから３０秒後（Ｔ２）に表示が開始され、スライドＳ３はこのスライドＳ１が表示されてから２分後（Ｔ３）に表示が開始されるようなタイムスケジュールとなっている。
【００９１】
次に、このようにしてスライド表示開始予定時刻テーブル３００から現在表示されているスライドＳの予定開始時刻を取得したならば、ステップＳ３０８に移行してプレゼンテーション開始から現在までの時間を取得した後、次のステップＳ３１０に移行して前記ステップＳ３０６で取得した現在表示されているスライドＳの予定開始時刻と、実際に表示開始された時刻とを比較する。
【００９２】
そして、次の判断ステップＳ３１２に移行して、実際に表示開始された時刻のずれが予定の表示開始時刻に対して許容範囲内であるか否かを判断し、許容範囲内であると判断したとき（Ｙｅｓ）は、そのプレゼンテーションは予定通り進行していると判断してステップＳ３２０までジャンプすることになるが、これとは反対に許容範囲を超えていると判断したとき（Ｎｏ）は、次の判断ステップＳ３１４に移行して、そのスライドＳの表示開始時刻が予定表示開始時刻よりも遅れているか否かを判断する。
【００９３】
そして、この判断ステップＳ３１４において、予定表示開始時刻よりも遅れていると判断したとき（Ｙｅｓ）は、ステップＳ３１６側に移行してそれに対応する音声メモデータを再生し、これとは反対に予定表示開始時刻よりも遅れていない、すなわち予定開始時刻よりも許容範囲以上進んでいると判断したとき（Ｎｏ）は、ステップＳ３１８側に移行してそれに対応する音声メモデータを再生する。
【００９４】
図１２は、この対応関係を示した音声メモデータテーブルの一例を示したものである。
すなわち、予定表示開始時刻よりも遅れていると判断したときは、ステップＳ３１６において「delay.mp3」という音声メモデータファイルＦ４が読み出されることで図示するように「予定よりも遅れています」という内容の音声が再生され、また、予定表示開始時刻よりも進んでいると判断したときは、ステップＳ３１６において「fast.mp3」という音声メモデータファイルＦ５が読み出されることで図示するように「予定よりも進んでいます」という内容の音声が再生されることになる。
【００９５】
そして、このようにして各状況に対応した音声メモデータが再生されたならば、最後のステップＳ３２０に移行してそのプレゼンテーションにおいてその後に表示すべく次の（残りの）スライド（映像）Ｓが存在するか否かを判断し、存在しないと判断したとき（Ｎｏ）は、そのまま処理を終了することになるが、存在すると判断したとき（Ｙｅｓ）は、再び最初のステップＳ２００に戻って全てのスライドＳが表示されるまで同様の処理を繰り返すことになる。
【００９６】
このように本実施の形態は、各スライドＳごとの表示開始予定時刻と実際の表示開始時刻とを比較してその比較結果に応じた音声メモデータを再生するようにしたことから、発表者はプレゼンテーション中に自ら発表経過時間などを計算することなく音声のみによってそのプレゼンテーションの進行状況を的確に把握することができる。
これによって、発表者は視線を視聴者からそらす頻度が減るため、好印象のプレゼンテーションを実現することができる。                                                
【００９７】
また、このスライドＳの切換と同時にその音声メモを再生するようにすれば、プレゼンテーション中にその進行状況に関する音声メモデータが的確なタイミングで自動的に再生されるようになるため、第１および第２の実施の形態と同様に、発表者が話している最中に急に音声メモが再生されて発表者が困惑してしまうといった不都合も回避することができる。
【００９８】
また、このように再生する音声メモとして、単に「予定よりも進んでいます」とか、「予定よりも遅れています」といった内容の他に、その状況に応じたプレゼンテーションのスケジューリングに関する内容の音声メモを再生するようにすればなお良い。
例えば、図１３に示すように、スライドＳ２についてその表示開始時刻が予定よりも許容時間以上進んでいると判断したときは、同図に示すように「余裕があればＢを説明する」といった内容の音声メモを再生し、また、そのスライドＳ２についてその表示開始時刻が予定よりも許容時間以上遅れていると判断したときは、同図に示すように「Ｂの説明は省略」といった内容の音声メモを再生する。
【００９９】
これによって、発表者は単に進行状況を把握するだけでなく、その進行状況に応じた的確な対応を採ることが可能となり、時間切れや時間余りといった不都合を招くことなく、予定通りのプレゼンテーションを実行することができる。
次に、図１４は本発明に係るプレゼンテーションシステム１００の第４の実施の形態を示したものである。
【０１００】
図示するように、このプレゼンテーションシステム１００は、前記第１の実施の形態で説明したように、表示する映像を構成する映像データおよび前記各映像と対応する音声メモデータを当該各映像ごとに関連付けて記憶するデータ記憶部１０と、映像を視聴者が視認できるように実際に表示する映像表示部１２と、この映像表示部１２で表示される映像を切り換える映像切換部１４と、前記データ記憶部１０に保存された音声メモデータを再生する音声再生部１６と、前記映像表示部１２で表示される映像と関連する音声メモデータを制御する音声メモデータ制御部１８と、前記映像表示部１２で表示される映像を構成する映像データを前記データ記憶部１０から読み出してきて前記映像表示部１２に送信する映像データ送信部２０と、前記音声再生部１６で再生される音声メモを構成する音声メモデータを同じく前記データ記憶部１０から読み出してきて前記音声再生部１６に送信する音声データ送信部２２とに加え、さらに、テキストデータ入力部３２と、テキストデータ変換部３４とを備えたものである。
【０１０１】
先ず、このテキストデータ入力部３２は、具体的には図示しないワードプロセッサからなっており、前述したような各種の音声メモデータの具体的な内容、例えば、「予定よりも進んでいます」とか、「Ｂの説明は省略」といった内容のメモをキーボードなどの公知の入力装置を用いて入力してテキストデータとして作成し、これをテキストデータ変換部３４に送る機能を発揮するようになっている。
【０１０２】
一方、テキストデータ変換部３４は、具体的には、視覚障害者向けの電子メールを音声で読み上げるソフトウェアとこれを動作するための図２に示すようなハードウェアなどから構成されており、テキストデータ変換部３４から送られてきたテキストデータを聴覚で認識できるような音声メモデータに変換すると共に、その音声メモデータを、該当するスライドＳと対応させてデータ記憶部１０に保存する機能を提供するようになっている。
【０１０３】
図１５は、本実施の形態にかかる音声メモデータの作成およびその保存に関する処理の流れの一例を示したフローチャートである。
先ず、最初のステップＳ４００において、テキストデータの入力が行われたならば、次のステップＳ４０２に移行してそのテキストデータを音声メモデータに変換した後、次ぐにステップＳ４０４に移行して変換した音声メモデータと、スライドＳとの対応付けが行われる。これによって、あるスライドＳが表示されると同時にそのスライドＳと関連する音声メモデータが瞬時に特定されて前記のように所定のタイミングで再生することが可能となる。
【０１０４】
次に、このようにして音声変換された音声メモデータとスライドＳとの関連付けが終了したならば、次のステップＳ４０６に移行してその音声メモデータをデータ記憶部１０に保存した後、最後のステップＳ４０８に移行し、他のテキストデータがあるか否かが判断され、テキストデータがないと判断したとき（Ｎｏ）は、処理を終了することになるが、テキストデータがあると判断したとき（Ｙｅｓ）は、さらに最初のステップに戻って同様な処理を繰り返して所定の音声メモデータを作成することになる。
【０１０５】
これによって、発表者が事前に録音装置などを用いて音声によってメモを記録しておく必要がなくなり、テキスト入力用のキーボードなどの汎用の入力装置を用いることで簡単に音声メモデータを作成して保存することができる。
【図面の簡単な説明】
【０１０６】
【図１】本発明に係るプレゼンテーションシステムの第１の実施の形態を示す機能ブロック図である。
【図２】本発明に係るプレゼンテーションシステムを実現するためのハードウェア構成を示すブロック図である。
【図３】スライドと音声メモデータの対応関係のデータ構造を示す図である。
【図４】本発明で適用可能なリモコンの構成を示す平面図である。
【図５】音声メモデータの作成とスライドとの関連付け手順を示す概念図である。
【図６】第１の実施の形態に係る音声メモデータの制御を示すフローチャート図である。
【図７】本発明に係るプレゼンテーションシステムの第２の実施の形態を示す機能ブロック図である。
【図８】第２の実施の形態に係る音声メモデータの制御を示すフローチャート図である。
【図９】本発明に係るプレゼンテーションシステムの第３の実施の形態を示す機能ブロック図である。
【図１０】第３の実施の形態に係る音声メモデータの制御を示すフローチャート図である。
【図１１】スライドと表示予定開始時刻との関係のデータ構造を示す図である。
【図１２】音声メモデータファイルの種類とその音声内容を示す図である。
【図１３】スライドとその表示開始時刻に対する音声メモデータファイルおよびそのその音声内容を示す図である。
【図１４】本発明に係るプレゼンテーションシステムの第４の実施の形態を示す機能ブロック図である。
【図１５】第３の実施の形態に係る音声メモデータの作成処理を示すフローチャート図である。
【符号の説明】
【０１０７】
１００…プレゼンテーションシステム、２００…リモコン、３００…モニタ、１０…データ記憶部、１２…映像表示部、１４…映像切換部、１６…音声再生部、１８…音声メモデータ制御部、２０…映像データ送信部、２２…音声データ送信部、２４…発声状況監視部、２６…未発声時間計測部、２８…表示時間計測部、３０…表示時間比較部、３２…テキストデータ入力部、３４…テキストデータ変換部、９０…ＣＰＵ、９１…ＲＡＭ、９２…ＲＯＭ、９３…補助記憶装置、９４…出力装置、９５…入力装置、Ｓ…スライド（映像）、Ｆ…音声メモデータファイル。
【図１】
2006119875.tif 000003
【図２】
2006119875.tif 000004
【図３】
2006119875.tif 000005
【図４】
2006119875.tif 000006
【図５】
2006119875.tif 000007
【図６】
2006119875.tif 000008
【図７】
2006119875.tif 000009
【図８】
2006119875.tif 000010
【図９】
2006119875.tif 000011
【図１０】
2006119875.tif 000012
【図１１】
2006119875.tif 000013
【図１２】
2006119875.tif 000014
【図１３】
2006119875.tif 000015
【図１４】
2006119875.tif 000016
【図１５】
2006119875.tif 000017